(57)【要約】      （修正有）【課題】床下配線の為の空間を形成する二重床が設けられた部屋に据付けて使用する家具の為の転倒防止装置を提供する。【解決手段】床下配線の為の空間を形成する二重床が設けられた部屋に据付けて使用する家具の為の転倒防止装置であって、前記二重床は、下側の床に上側の床を構成する多数の二重床用ブロックを敷き詰められたＯＡフロアであり、前記転倒防止装置は、複数の前記二重床用ブロックを一体化した転倒防止用ブロック１２を含み、前記下側の床に敷き詰められた二重床用ブロックの一部を前記転倒防止用ブロック１２に置き換え、この転倒防止用ブロックとＯＡ家具を接続固定することによって前記ＯＡ家具の転倒を防止する。【選択図】図５
2015205066.tif 000002
【特許請求の範囲】
【請求項１】
床下配線の為の空間を形成する二重床が設けられた部屋に据付けて使用する家具の為の転倒防止装置であって、
前記二重床は、下側の床に上側の床を構成する多数の二重床用ブロックを敷き詰められたＯＡフロアであり、
前記転倒防止装置は、複数の前記二重床用ブロックを一体化した転倒防止用ブロックを含み、
前記下側の床に敷き詰められた二重床用ブロックの一部を前記転倒防止用ブロックに置き換え、この転倒防止用ブロックとＯＡ家具を接続固定することによって前記ＯＡ家具の転倒を防止することを特徴とする転倒防止装置。
【請求項２】
前記転倒防止用ブロックの上側の床には多数の貫通孔が設けられており、この貫通孔に前記ＯＡ家具をネジ止めを行うことによって前記ＯＡ家具の転倒を防止することを特徴とする請求項１に記載のＯＡフロア用転倒防止装置。
【請求項３】
補助部材
前記転倒防止用ブロックと前記ＯＡ家具との接続は、前記転倒防止用ブロックにネジ止めにより直接接続された補助部材を介して行われることを特徴とする請求項２に記載のＯＡフロア用転倒防止装置。
【発明の詳細な説明】
【技術分野】
【０００１】
本発明は、ＯＡフロアに設置された家具が地震の際に転倒することを防止する転倒防止装置に関する。
【背景技術】
【０００２】
近年、東日本大震災などの教訓から、地震対策に対する一般の関心が高まっている。建物そのものの安全性は重要であるが、そう簡単に行えるものではない。一方で、屋内での怪我や家具や棚等の損壊を軽くする上で、転倒防止の為の対策は比較的容易で効果も高い。具体的には、例えば、特許文献１に示されているように、家具を天井に連結することで転倒を防止するといった方法がある。
【０００３】
事実、建物の中でけがをした人の約半数は家具の転倒、落下が原因だったといわれている。これにガラスの飛散によってけがを負った人を加えると、建物内での怪我の大半は家具やガラスで被害を受けたことになる。すなわち、家具や棚等を突っ張り棒などでしっかりと留めて、ガラスの飛散防止対策を施せば、地震による怪我の虞は非常に小さくなることになる。
【０００４】
一方で、ＯＡ機器やＬＡＮの普及により床下配線が、オフィスにおいて一般的に利用されている。このような床下配線は、ＯＡフロアあるいはフリーアクセスフロアと呼ばれる二重床に、ＬＡＮケーブルや電源ケーブルなどを這わせるものである。
【先行技術文献】
【特許文献】
【０００５】
【特許文献１】特開平０８−２４２９５５号公報
【発明の概要】
【発明が解決しようとする課題】
【０００６】
このようなＯＡフロアの場合、二重床の構造によってはオフィス家具などの転倒がより起こりやすいということがある。また、オフィスによっては、エレガントな外観が重要な場合も有り、天井から突っ張り棒のようなものが見えると、美観を損なうということもある。
【０００７】
そこで、本発明の目的は、ＯＡフロアの二重床の構造を利用して家具などの転倒を効果的に防止でき、オフィスの外観を損なうことなく容易に取付可能なＯＡフロア用転倒防止装置を提供することである。
【課題を解決するための手段】
【０００８】
上記課題を解決するために、本発明のＯＡフロア用転倒防止装置は、床下配線の為の空間を形成する二重床が設けられた部屋に据付けて使用する家具の為の転倒防止装置であって、前記二重床は、下側の床に上側の床を構成する多数の二重床用ブロックを敷き詰められたＯＡフロアであり、前記転倒防止装置は、複数の前記二重床用ブロックを一体化した転倒防止用ブロックを含み、前記下側の床に敷き詰められた二重床用ブロックの一部を前記転倒防止用ブロックに置き換え、この転倒防止用ブロックとＯＡ家具を接続固定することによって前記ＯＡ家具の転倒を防止する。
【０００９】
１つの実施形態では、前記転倒防止用ブロックの上側の床には多数の貫通孔が設けられており、この貫通孔に前記ＯＡ家具をネジ止めを行うことによって前記ＯＡ家具の転倒を防止することを特徴とする。
【００１０】
また、別の実施形態では、前記転倒防止用ブロックと前記ＯＡ家具との接続は、前記転倒防止用ブロックにネジ止めにより直接接続された補助部材を介して行われることを特徴とする。
【発明の効果】
【００１１】
本発明の転倒防止装置によれば、既存の二重床を利用して、外観を損なうことなく、容易に転倒防止対策を行うことができる。
【図面の簡単な説明】
【００１２】
【図１】図１は、ＯＡフロアで利用する二重床用ブロックの例を示す斜視図である。
【図２】図２は、図１のブロックをフロアの全体に敷き詰めて形成したＯＡフロアを示す平面図である。
【図３】図３は、本発明の実施例１による転倒防止装置で利用される長形ブロックを示す斜視図である。
【図４】図４は、本発明の実施例１による転倒防止装置を用いて行われるスチールラックの転倒防止を説明する図である。
【図５】図５は、本発明の実施例１による転倒防止装置を用いたＯＡフロアへのＯＡ家具の設置方法を説明する平面図である。
【図６】図６は、本発明の実施例１による転倒防止装置を用いたＯＡフロアへのＯＡ家具の設置方法を説明する図であり、図５のＡ−Ａ線から見た図である。。
【図７】図７は、本発明の実施例１による転倒防止装置を用いたＯＡフロアへのＯＡ家具の別の設置方法を説明する図である。
【図８】図８は、本発明の実施例１による転倒防止装置を用いたＯＡフロアへのＯＡ家具の更に別の設置方法を説明する図である。
【図９】図９は、本発明の転倒防止装置と共に使用する補助部材としてのクランププレートを示す斜視図である。
【図１０】図１０は、図９のクランププレートを利用してＯＡ家具の脚部を固定する方法を説明する図である。
【図１１】図１１は、本発明の実施形態による転倒防止装置を用いて転倒防止処置を行うオフィス家具の具体例としての携帯端末用ブースを示す斜視図である。
【図１２】図１２は、本発明の実施例１による転倒防止装置を用いて転倒防止処置を行うオフィス家具の配置を説明する平面図である。
【図１３】図１３は、本発明の実施例１による転倒防止装置を用いてＯＡフロアへのＯＡ家具を設置した状態を示す図であり、図１２のＡ−Ａ線から見た図である。。
【図１４】図１４は、図１１の携帯端末用ブースの脚に設けられているアジャスタフットを示す図である。
【図１５】図１５は、本発明の実施例１による転倒防止装置を用いて転倒防止処置を行うオフィス家具の別の配置を説明する平面図である。
【図１６】図１６は、本発明の実施例２による転倒防止装置の支持ビームを示す斜視図である。
【図１７】図１７は、本発明の実施例２による転倒防止装置のビームアクセス部材を示す斜視図である。
【図１８】図１８は、本発明の実施例２による転倒防止装置を用いて転倒防止処置を行うオフィス家具の配置を説明する平面図である。
【図１９】図１９は、本発明の実施例２による転倒防止装置と、図１１の携帯端末用ブースの脚に設けられているアジャスタフットとの連結を説明する部分拡大図である。
【図２０】図２０は、本発明の実施例２による転倒防止装置によって転倒防止処置の施された携帯端末用ブースおよびスチールラックを説明する図である。
【図２１】図２１は、本発明の実施例２による転倒防止装置を図１１の携帯端末用ブースに連結する別の例を説明する図である。
【図２２】図２２は、本発明の実施例２による転倒防止装置のビームアクセス部材の別の例を示す斜視図である。
【図２３】図２３は、本発明の実施例２による転倒防止装置によって転倒防止処置の施された携帯端末用ブースおよびスチールラックの別の例を説明する図である。
【図２４】図２４は、本発明の実施例２による転倒防止装置に適した二重床用ブロックの別の例を示す斜視図である。
【図２５】図２５は、図９に示したクランププレートを、本発明の実施形態による転倒防止装置に利用する例を説明する図である。
【図２６】図２６は、本発明の実施例２による転倒防止装置のビームアクセス部材の別の使用例を示す図である。
【図２７】図２７は、本発明の実施例２による転倒防止装置のビームアクセス部材の別の例を示す図である。
【図２８】図２８は、図１１の携帯端末用ブースを、ＯＡフロアの上側の床に固定する場合の例を例を説明する図である。
【図２９】図２９は、図２８に示した携帯端末用ブースの固定方法で利用する支持ボードの組み合わせ方法を説明する図である。
【図３０】図３０は、図２８に示した携帯端末用ブースの固定方法で利用する支持ボードの組み合わせ方法の別の例を説明する図である。
【図３１】図３１は、図２８に示した支持ボードを延長して複数のＯＡ家具に対して転倒防止処置を行った例を示す図である。
【発明を実施するための形態】
【００１３】
以下、添付図面を参照しながら本発明の実施形態による転倒防止装置を説明する。この転倒防止装置は、ＯＡフロアの二重床を利用して、オフィス家具等が地震の際に転倒するのを防止するものである。
【００１４】
オフィスの床を二重床にする方法としては、大きく分けて２つある。１つは、本来の床の上に支柱を立てその上に板状のパネルを乗せる方法であり、もう一つは支柱とパネルが一体となったようなブロックを敷き詰める方法である。本発明はいずれの方法にも適用可能であるが、ここではブロックを用いる場合を例として説明する。
【００１５】
図１に、このようなＯＡフロア用のブロックの例を示す斜視図である。ブロック１０は、四隅に位置する支柱１０ｃと共に強化樹脂で成形され、本来の床の上に置くことで間に高さ１０ｃｍ〜３０ｃｍ程度の配線用の空間を確保することができる。また、ブロック１０の４つの辺の中央には切り欠き１０ｎが設けられている。
【００１６】
図２に示したように、このブロック１０をフロアの全体に敷き詰めると、隣接するブロックの切り欠き１０ｎが合わさり下への貫通孔となる。この貫通孔が配線の取り出し口１０ｂとなって、床全体に配置される。このような構造では、必要に応じて一部のブロック１０を外して配線の変更を容易に行うことが出来る。
【実施例１】
【００１７】
本発明の実施例１による転倒防止装置は、図３に示したような長形ブロック（転倒防止用ブロック）１２を用いる。この長形ブロック１２は、図１のブロック１０が７個一列に並べ、一体的に剛性をもって連結成型されたものと同等である。実際には、この長形ブロック１２の長さ（対応するブロック１０の個数）は、部屋の大きさや利用状況に応じて適宜決定する。例えば、小さい部屋では６個分より短くしたり、より大きい部屋では８個分以上の長さとする。また、長形ブロック１２には多数のネジ孔１０ｈが貫通している。
【００１８】
以下、この転倒防止装置を用いてオフィス家具等の転倒防止処置を行う方法を説明する。ここでは転倒防止処置を行うオフィス家具等として、図４に示したスチールラック５０を用いて説明する。このスチールラック５０には、アンカー孔５３が設けられており、ここに雄ネジを挿入してネジ止めすることができる。
【００１９】
まず、スチールラック５０のオフィス内の設置位置を決定する。例えば、図５に示した例では、図面で右上隅の壁側に設置するものと決定する。そして、フロアに敷き詰められているブロック１０の一部を長形ブロック１２で置換する。ここでは、スチールラック５０のアンカー孔５３の下方に位置し、スチールラック５０の正面方向へ長形ブロック１２が延長するようにする。
【００２０】
そして、図６に示したように、スチールラック５０のアンカー孔５３と長形ブロック１２のネジ孔１２ｈを、雄ネジ４４でネジ止め固定する。適当なアンカー孔５３が利用できない場合や、アンカー孔５３とネジ孔１０ｈが上手く整合しない場合などは、直接オフィス家具（スチールラック５０）へ取り付けるのではなく、補助部材を利用しても良い。例えば、図７に示したように、補助板５５をスチールラック５０の脚部に横方向に通して補助板５５と長形ブロック１２のネジ孔１０ｈをネジ止めするようにしても良い。また、図７では、スチールラック５０の外側でネジ止めしているが、図８に示したようにスチールラック５０の内側でネジ止めしても良い。
【００２１】
このような補助板５５と同じような使い方として、図９に示したようなクランププレート５７を用いれば、クランププレート５７のアンカー孔５７ｈを、長形ブロック１２のネジ孔１２ｈにネジ止めすることによって、図１０に示したようにして家具の先の太い足６０などを固定することが出来る。
【００２２】
一本の長形ブロック１２の離れた位置に複数のオフィス家具等を取り付けると、一方の重量が他方の転倒防止効果を高めるので、全体としての耐震性が向上する。例えば、図５に示した例の２本の長形ブロック１２の他方の端（図で下側）に、更に図１１に示した携帯端末用ブース（Ｂｏｄｙｐｈｏｎ（登録商標））４０を、図１２や図１３に示したように取り付けるといったことが効果的である。。
【００２３】
携帯端末用ブース４０は、反響音などの邪魔されること無く快適に携帯端末を利用する為の空間を提供するものである。携帯端末用ブース４０の４本の脚の下端にはアジャスタフット４１（図１４参照）が設けられており、このアジャスタフット４１には夫々２つのアンカー孔４３が設けられている。このアンカー孔４３に雄ネジ４４を挿入し、長形ブロック１２のネジ孔１０ｈにネジ止めして固定する。
【００２４】
図４に示したスチールラック５０のようなある程度の幅のあるオフィス家具の場合、中央に一本の長形ブロック１２のみを取り付けても、一定の転倒防止効果が期待できる。例えば、部屋の中央にスチールラックを置くことは安全性の観点から通常は行わない。しかし、図１５に示したように、スチールラック５０の幅方向と直角に延びた長形ブロック１２に、スチールラック５０を固定することで前後方向への転倒が防止できる。また、左右方向にはスチールラック５０地震の幅によって、転倒しにくくなっている。このような設置により、個性的で効果的なオフィスレイアウトが実現する。
【実施例２】
【００２５】
実施例２では、フロアに敷き詰められているブロック１０はそのまま利用する。そして、実施例２による転倒防止装置を構成する部材として、図１６に示したような支持ビーム２０と、図１７に示したビームアクセス部材３０と、締結具としての雄ネジ４４（図１９等参照）がある。ここで示した支持ビーム２０やビームアクセス部材３０の形状は一例であり、実際の応用に応じて適宜最適な形状を用いることが出来る。特に、ビームアクセス部材は、支持するオフィス家具によって適宜合ったものを使用する。
【００２６】
支持ビーム２０は、１ｍ〜３ｍ程度のＬ字断面のスチールロッドである。支持ビーム２０のＬ字断面の１つの辺（垂直の辺）には、長さ方向に例えば５ｃｍ間隔に開けられた部材固定用のアクセス孔２１が設けられている。また、他方の辺（水平の辺）には、やはり長さ方向に例えば５０ｃｍ間隔に開けられたビーム固定用のアンカー孔２３が設けられている。一方、ビームアクセス部材３０は、支持ビーム２０のアクセス孔２１にネジ止めする為の孔３１が設けられた下部３３と、オフィス家具へネジ止めの為の孔３５を提供する上部３７とからなっている。
【００２７】
以下、この転倒防止装置を用いてオフィス家具等の転倒防止処置を行う方法を説明する。ここでは転倒防止処置を行うオフィス家具等として、図１１に示した携帯端末用ブース４０と、図４に示したスチールラック５０を用いて説明する。携帯端末用ブース４０は、反響音などの邪魔されること無く快適に携帯端末を利用する為の空間を提供するものである。
【００２８】
まず、携帯端末用ブース４０とスチールラック５０のオフィス内の設置位置を決定する。例えば、図１８に示した例では、部屋の壁側の左隅に携帯端末用ブース４０を設置し、右隅にスチールラック５０を設置するものと決定する。携帯端末用ブース４０およびスチールラック５０には、以下の通り、夫々に転倒防止装置との接続のための手段が設けられている。
【００２９】
すなわち、携帯端末用ブース４０の４本の脚の下端にはアジャスタフット４１（図１４参照）が設けられており、このアジャスタフット４１には夫々２つのアンカー孔４３が設けられている。このアンカー孔４３に雄ネジを挿入し、ビームアクセス部材３０のアクセス孔２１にネジ止めすることができる。また、スチールラック５０にも、アンカー孔５３が設けられており、ここに雄ネジを挿入し、ビームアクセス部材３０のアクセス孔２１にネジ止めすることができる。
【００３０】
転倒防止装置での係止位置が決まると、携帯端末用ブース４０とスチールラック５０の利用すべきアンカー孔４３、５３を横切るようにして、支持ビーム２０を二重床の内部、すなわちブロック１０下の本来の床に置く。そして、夫々の係止位置で、ビームアクセス部材３０を支持ビーム２０に取り付ける。そして、ブロック１０を定位置に置いて配線取り出し口１０ｂが、ビームアクセス部材３０と整合していることを確かめる。配線取り出し口１０ｂとビームアクセス部材３０が整合していれば、ブロック１０を外し、アンカー孔２３を利用して支持ビーム２０を床にネジ止め固定する。
【００３１】
すべての係止位置で、ビームアクセス部材３０を支持ビーム２０に取り付けが完了しブロック１０を敷き詰めたら、携帯端末用ブース４０とスチールラック５０を所定の位置に設置する。そして、図１９に示したように、携帯端末用ブース４０のアンカー孔４３と、ビームアクセス部材３０を雄ネジ４３ｓによってネジ止めする。図１９に示したように、ブロック１０の上にカーペット１７が敷かれることもある。同様に、スチールラック５０のアンカー孔５３と、ビームアクセス部材３０もネジ止めする。これにより、図２０に示したように、携帯端末用ブース４０とスチールラック５０を、二重床の内部の転倒防止装置を介して本来の床Ｂの上に固定することができ、地震の際にも転倒することが防止される。なお、図２０では、二重床の上の床の構造（カーペットやブロックの構造）は詳細を省略している。
【００３２】
なお、この例では携帯端末用ブース４０とスチールラック５０共に、この例では壁際の２箇所（図４および図１１で後ろ側の２箇所）のアンカー孔でのみ固定されている。しかしながら、１つのオフィス家具を単独でこの転倒防止装置へ連結しても効果的である。例えば、携帯端末用ブース４０を壁から離れた位置に設置する場合には、下からの支持力を高めることが望ましい。そのために、より長い支持ビームを用いたり、複数の支持ビームを取り付けたりするとよい。
【００３３】
図２１の例では、４本の支持ビーム２０ｓを♯型に組んで、４箇所（図で内部が塗り潰された配線取出口１０ｂ）で携帯端末用ブース４０に連結している。この場合、図で横方向に並んだ２本の支持ビーム２０ｓは携帯端末用ブース４０に連結されていないが、横方向の転倒を防止する効果がある。ここで支持ビーム２０ｓは組み合わせを可能とするために、図２２のように支持ビームの垂直辺の一部が除去されている。
【００３４】
なお、上記の通り、支持ビーム２０は床にネジ止め固定することが望ましいが、床へのダメージが躊躇われるケースもある。また、床がコンクリートであれば、アンカーボルトを用いることになるが、支持ビーム２０の位置を変えたりして、コンクリートへの穴あけを多用すると、コンクリート自体に強度的な問題が生じる可能性も有りえる。
【００３５】
従って、図２３に示したように、支持ビーム２０を床に載置するのみとしても良い。支持ビーム２０に一定の重量があれば、中程度の地震であれば十分な効果が期待できる。また、家具同士が連結して互いに支え合うという効果もある。本来の床への支持ビーム２０の固定は、適宜必要に応じて選択的に行うと効果的である。なお、図２３でも、二重床の上の床の構造（カーペットやブロックの構造）は詳細を省略している。
【００３６】
以上、本発明の実施例の基本的な説明を行った。上記の方法では、携帯端末用ブース４０とスチールラック５０の設置位置が、フロアに敷き詰められたブロック１０の配線取り出し口１０ｂの位置と整合している必要がある。これは、空間にゆとりが有れば良いが、そうでない場合は不便が生じる。このような不便さについては、当業者であれば、様々な方法で容易に回避できるであろう。以下に、幾つかの方法を説明する。
【００３７】
上記実施形態では、ブロック１０の配線取り出し口１０ｂを利用しているが、実際には雄ネジが通る程度の大きさの孔がブロック１０に空いていれば良く、図２４に示したようにネジ用の孔１０ｈを幾つか設けておけば自由度を高めることが出来る。市販のブロックでも利用可能な孔が空いているものもある。
【００３８】
また、ビームアクセス部材３０を直接、直接オフィス家具等へ取り付けるのではなく、補助部材を利用しても良い。例えば、図２３に示したように、スチールラック５０のアンカー孔５３は利用せずに、補助板５５を横方向に通して補助板５５とビームアクセス部材３０をネジ止めするようにしても良い。このような補助板５５と同じような使い方として、図９に示したようなクランププレート５７を用いれば、クランププレート５７のアンカー孔５７ｈをビームアクセス部材３０にネジ止めすることによって、図２５に示したようにして家具の先の太い足６０などを固定することが出来る。
【００３９】
ブロック１０下の転倒防止装置についても、位置の設定に関して、より柔軟性のある方法が幾つか考えられる。例えば、図２７に示したように、支持ビーム２０に対するビームアクセス部材３０の向きを適宜逆転させることで、位置の調整が可能である。また、図２８に示したように、ビームアクセス部材３０のアクセス孔２５を、より長くすることで横方向について接続位置を調整可能としてもよい。更に、支持ビーム２０は、図１８に示したように斜めに置くなど、床上で自由に配置できる。
【００４０】
更に、簡易的ではあるがコストパフォマンスの高い方法として、ＯＡフロアの上側の床を挟んで板材で固定するということも可能である。例えば、図２８に示したように、ＯＡフロアの上側の床１０ｆを挟んで、携帯端末用ブース４０のアジャスタフット４１のアンカー孔４３と支持ボード４６の貫通孔４６ｈを、雄ネジ４４で接続固定するようにする。これにより、携帯端末用ブース４０の転倒防止に一定の効果が期待できる。
【００４１】
ここで支持ボード４６は、図２９に示したように床１０ｆの下で井型に組んでも良いし、図３０に示したようにＸ型に組んでも良い。いずれの場合も、携帯端末用ブース４０の４本の脚部の４箇所において、アジャスタフット４１で接続するようにする。なお、支持ボードの材質は木材でもスチールでも良い。また、支持ボード４６の両端にも貫通孔４６ｈを設けて、その位置でも床１０ｆに接続固定するようにすると、更に安定性を高めることが出来る。
【００４２】
また、図２８乃至図３０に示した例では携帯端末用ブース４０のみを固定しているが、支持ボード４６を必要な長さまで延長し、他のＯＡ家具も同様にＯＡフロアの上側の床１０ｆを挟んで、同じ支持ボード４６へ固定するようにしても良い（図３１参照）。このようにすることで相互に影響しあって、単独で固定するよりもより転倒防止効果が高くなる。
【００４３】
なお、最も簡単な携帯端末用ブース４０の固定方法としては、両面接着部材で４つのアジャスタフット４１の裏面を平坦な床に接着固定するという方法である。このような両面接着部材としては、市販の両面テープや、粘着性能と衝撃吸収性能を持つ更に高性能なゲル状マットがある。 
【００４４】
以上、本発明を実施例により詳細に説明したが、当業者にとっては、本発明が本願中に説明した実施例に限定されるものではないということは明らかである。本発明の装置は、特許請求の範囲の記載により定まる本発明の趣旨及び範囲を逸脱することなく修正及び変更態様として実施することができる。従って、本願の記載は、例示説明を目的とするものであり、本発明に対して何ら制限的な意味を有するものではない。
【産業上の利用可能性】
【００４５】
以上のように、本発明に係わる転倒防止装置は、ＯＡフロアの既存の二重床を利用して、簡易に転倒防止対策を行えるので、広い適用範囲で効果的に利用可能である。
【符号の説明】
【００４６】
１０  二重床用ブロック
１０ｂ  口
１０ｃ  支柱
１０ｈ  孔
１０ｎ  切り欠き
１０ｆ  上側床
１２  長形ブロック
１２ｈ  ネジ孔
１７  カーペット
２０、２０ｓ  支持ビーム
２１、３０  アクセス孔
２３、４３、５３  アンカー孔
３０  ビームアクセス部材
３１、３５  孔
４０  携帯端末用ブース
４１  アジャスタフット
４３ｓ、４４  雄ネジ
４６  支持ボード
４６ｈ  貫通孔
５０  スチールラック
５５  補助板
５７  クランププレート
５７ｈ  アンカー孔
６０  オフィス家具の足
【図１】
2015205066.tif 000003
【図２】
2015205066.tif 000004
【図３】
2015205066.tif 000005
【図４】
2015205066.tif 000006
【図５】
2015205066.tif 000007
【図６】
2015205066.tif 000008
【図７】
2015205066.tif 000009
【図８】
2015205066.tif 000010
【図９】
2015205066.tif 000011
【図１０】
2015205066.tif 000012
【図１１】
2015205066.tif 000013
【図１２】
2015205066.tif 000014
【図１３】
2015205066.tif 000015
【図１４】
2015205066.tif 000016
【図１５】
2015205066.tif 000017
【図１６】
2015205066.tif 000018
【図１７】
2015205066.tif 000019
【図１８】
2015205066.tif 000020
【図１９】
2015205066.tif 000021
【図２０】
2015205066.tif 000022
【図２１】
2015205066.tif 000023
【図２２】
2015205066.tif 000024
【図２３】
2015205066.tif 000025
【図２４】
2015205066.tif 000026
【図２５】
2015205066.tif 000027
【図２６】
2015205066.tif 000028
【図２７】
2015205066.tif 000029
【図２８】
2015205066.tif 000030
【図２９】
2015205066.tif 000031
【図３０】
2015205066.tif 000032
【図３１】
2015205066.tif 000033